(57)【要約】【課題】カメラにおいて、不使用時にレンズ鏡胴を自動的に沈胴し、光漏れによるカブリ等を防止する。その際、フィルムの感度や明るさに応じて自動沈胴するまでの時間をできるだけ長くする。【解決手段】感度読取部３０によって読み取ったパトローネ５０のＤＸコード５１が示すフィルム５２の感度値と、光電変換素子３５によって検出したカメラが置かれている環境の明るさ値との組合せに応じて時間設定部２０が待機限界時間を設定する。タイマー１５は、レンズ鏡胴１０が繰出されたまま放置されている放置時間を計測する。鏡胴自動沈胴部２５が、タイマー１５により計測された放置時間と時間設定部２０により設定された待機限界時間とを入力し放置時間が待機限界時間に達したときにモータドライバ４に信号を出力してレンズ鏡胴１０を沈胴させる。【選択図】　　　　　図１
2004077903.tif 000002
【特許請求の範囲】
【請求項１】
レンズ鏡胴を備えたカメラにおいて、前記レンズ鏡胴が繰出し位置のまま放置されている放置時間を計測する計測手段と、待機限界時間を設定する時間設定手段と、前記放置時間が前記待機限界時間に達したときに前記レンズ鏡胴を沈胴させる鏡胴自動沈胴手段と、撮影に使用する記録媒体の感度を読み取る感度読取手段とを備え、前記時間設定手段が、前記待機限界時間を前記感度が低いほど長くするように設定するものであることを特徴とするカメラ。
【請求項２】
レンズ鏡胴を備えたカメラにおいて、前記レンズ鏡胴が繰出し位置のまま放置されている放置時間を計測する計測手段と、待機限界時間を設定する時間設定手段と、前記放置時間が前記待機限界時間に達したときに前記レンズ鏡胴を沈胴させる鏡胴自動沈胴手段と、撮影に使用する記録媒体の感度を読み取る感度読取手段と、前記カメラが置かれている環境の明るさを検出する明るさ検出手段とを備え、前記時間設定手段が、前記待機限界時間を前記明るさが小さいほど長くするように設定するものであることを特徴とするカメラ。
【請求項３】
レンズ鏡胴を備えたカメラにおいて、前記レンズ鏡胴が繰出し位置のまま放置されている放置時間を計測する計測手段と、待機限界時間を設定する時間設定手段と、前記放置時間が前記待機限界時間に達したときに前記レンズ鏡胴を沈胴させる鏡胴自動沈胴手段と、撮影に使用する記録媒体の感度を読み取る感度読取手段と、カメラが置かれている環境の明るさを検出する明るさ検出手段とを備え、前記時間設定手段が、前記待機限界時間を前記感度と前記明るさとの組合せに応じて設定するものであることを特徴とするカメラ。
【請求項４】
前記レンズ鏡胴が、撮影モードを維持したままでレンズ鏡胴を繰出した繰出し位置と、撮影モードを維持したままでレンズ鏡胴を繰込んだ繰込位置と、非撮影モードとしてカメラ本体にレンズ鏡胴を収納した収納位置の３つの位置を取り得るように構成されており、前記鏡胴自動沈胴手段が、前記放置時間が前記待機限界時間に達したときに前記レンズ鏡胴を前記繰出し位置から前記繰込位置に移動させるものであることを特徴とする請求項１から３のいずれか１項記載のカメラ。
【発明の詳細な説明】
【０００１】
【発明の属する技術分野】
本発明はカメラに関し、詳しくは、沈胴可能なレンズ鏡胴を備えたカメラに関するものである。
【０００２】
【従来の技術】
近年、コンパクトカメラの高倍率ズーム化に伴いレンズのＦ値が小さくなり、撮影に多く用いられているＩＳＯ１００やＩＳＯ４００の感度を持つフィルムでは室内や夜間屋外でのフラッシュ撮影などにおいて光量不足になることがある。このため、高速シャッターが必要なスポーツ写真や、暗い場所での撮影が要求される報道写真等の分野で使われるＩＳＯ８００やＩＳＯ１６００の高感度フィルムを使用する機会が増えている。
【０００３】
しかし、高感度フィルムを使用すると、光漏れによるカブリが起きやすくなるという問題がある。特にズームレンズのレンズ鏡胴は多段構造になるのでレンズ鏡胴の継ぎ目からの漏れ光によってフィルムが露光される危険性が高くなる。そのため、ズームレンズを有するコンパクトカメラには、図８に示すように、多段構造のレンズ鏡胴を構成する鏡胴８１Ａ、８１Ｂ、８１Ｃ、８１Ｄの間に生じる隙間（以後鏡胴隙間Ｗという）を通して侵入する漏れ光Ｌを遮光するために、フェルト状の遮光部材８２を各鏡胴隙間Ｗに配置することが行なわれている。特に高感度フィルムを標準的に使用するようなカメラでは、これに加えて鏡胴隙間Ｗにゴム状の遮光リング部材８３を配置して２重に遮光するとともに、各鏡胴と遮光部材との間の密着力を高めて遮光性を高めている。
【０００４】
【発明が解決しようとする課題】
しかしながら、上記のように遮光部材を増やしたり、鏡胴との間の密着力を強めようとすると遮光部材を収容するために鏡胴の光軸方向の長さを大きくする必要や、鏡胴を駆動するモーターの駆動力を大きくする必要がある。このため、沈胴時の鏡胴の出っ張りが大きくなったり、モーターの減速比を上げる減速ギアのスペース確保のために本体を大きくする必要が生じる。また、後者の場合は鏡胴の駆動時間も長くなる。
【０００５】
レンズ鏡胴は、沈胴させると、図９に示すように、鏡胴８１Ａ、８１Ｂ、８１Ｃ、８１Ｄが互いに重なり合い、漏れ光が通る狭い光路が長くなって、鏡胴隙間Ｗからの漏れ光Ｌの侵入は抑制される。一方、多段構造のズームレンズを備えたカメラにおいては、電池の節約のため、あるいは繰出されたレンズ鏡胴が不用意に物にぶつかってカメラが損傷したりするのを防止するため、所定時間放置された状態を検知してレンズ鏡胴を自動的に沈胴するものが知られている（特開平０６−２５８７０４号公報、特開平０８−１９０１１５号公報、特開平１１−１４２７１５号公報）。したがって、この自動沈胴技術を利用して、放置されたカメラを自動沈胴するようにすれば、光漏れの問題を解決することができる。
【０００６】
しかし、撮影で使用するカメラのレンズ鏡胴がしばらく放置されたからといって自動的に沈胴されてしまうと、次の撮影時にレンズ鏡胴を元の状態に戻してから再び撮影を行なわねばならず、撮影を再開するまでに余分な時間を要し、カメラの操作性が低下する。そのため、光漏れによってフィルムが露光されない範囲内で、なるべくレンズ鏡胴が繰り出されている状態を長く保ちたいという要請がある。
【０００７】
しかしながら、感度の高いフィルムに合わせて、例えばＩＳＯ１６００のフィルムに合わせて光漏れ防止のために、自動沈胴までの時間を最大限長くするように設定した場合であっても、感度が低いフィルム、例えばＩＳＯ１００のフィルムを使用したときには、必要以上に早くレンズ鏡胴が沈胴されることになる。すなわち、ＩＳＯ１００のフィルムを使用したときには、時間的に余裕があるとき、すなわち、光漏れでフィルムが露光される心配がないときにレンズ鏡胴が沈胴されてしまい、これにより撮影における操作性が低下することになる。
【０００８】
上記問題は、撮影に感光フィルムを使用するカメラに限らず、光漏れを問題とする記録媒体、例えば長時間に亘る漏れ光の入射が好ましくない受光素子を使用するカメラに対しても一般に考慮しておかねばならない問題である。
【０００９】
本発明は、上記事情に鑑みてなされたものであり、不必要に早くレンズ鏡胴が沈胴されることを防止し、これにより撮影における操作性の低下を抑制することができるカメラを提供することを目的とするものである。
【００１０】
【課題を解決するための手段】
本発明の第１のカメラは、上記目的を達成するため、
レンズ鏡胴を備えたカメラにおいて、鏡胴が繰出し位置のまま放置されている放置時間を計測する計測手段と、待機限界時間を設定する時間設定手段と、放置時間が待機限界時間に達したときにレンズ鏡胴を沈胴させる鏡胴自動沈胴手段と、撮影に使用する記録媒体の感度を読み取る感度読取手段とを備え、時間設定手段が、待機限界時間を前記感度が低いほど長くするように設定することを特徴とするものである。
【００１１】
本発明の第２のカメラは、上記目的を達成するため、
レンズ鏡胴を備えたカメラにおいて、レンズ鏡胴が繰出し位置のまま放置されている放置時間を計測する計測手段と、待機限界時間を設定する時間設定手段と、放置時間が待機限界時間に達したときにレンズ鏡胴を沈胴させる鏡胴自動沈胴手段と、撮影に使用する記録媒体の感度を読み取る感度読取手段と、カメラが置かれている環境の明るさを検出する明るさ検出手段とを備え、時間設定手段が、待機限界時間を前記明るさが小さいほど長くするように設定することを特徴とするものである。
【００１２】
本発明の第３のカメラは、上記目的を達成するため、
レンズ鏡胴を備えたカメラにおいて、レンズ鏡胴が繰出し位置のまま放置されている放置時間を計測する計測手段と、待機限界時間を設定する時間設定手段と、放置時間が待機限界時間に達したときにレンズ鏡胴を沈胴させる鏡胴自動沈胴手段と、撮影に使用する記録媒体の感度を読み取る感度読取手段と、カメラが置かれている環境の明るさを検出する明るさ検出手段とを備え、時間設定手段が、待機限界時間を前記感度と前記明るさとの組合せに応じて設定することを特徴とするものである。
【００１３】
前記レンズ鏡胴は、撮影モードを維持したままでレンズ鏡胴を繰出した繰出し位置と、撮影モードを維持したままでレンズ鏡胴を繰込んだ繰込位置と、非撮影モードとしてカメラ本体にレンズ鏡胴を収納した収納位置の３つの位置を取り得るように構成されており、鏡胴自動沈胴手段は、放置時間が待機限界時間に達したときにレンズ鏡胴を繰出し位置から繰込位置に移動させるものとすることができる。すなわち、沈胴しても撮影モードを維持し、再び使用するときに素早く撮影ができるように、完全に収納位置までレンズを沈胴させるようにすることができる。
【００１４】
ここで、「待機限界時間」とは、それ以上放置されると光漏れが実用上問題になるとして設定した時間を意味する。
【００１５】
なお、前記「放置」とは、カメラに対して操作が加えられていない状態を意味するものである。
【００１６】
また、前記レンズ鏡胴を沈胴させるとは、レンズ鏡胴をより遮光性の高い状態となる位置に移動させることを意味するものであり、レンズ鏡胴を繰出し位置から繰込位置に移動させるほか、例えば、レンズ鏡胴を繰出し位置から直接収納位置に移動させたり、あるいはレンズ鏡胴を繰込位置から一旦収納位置に移動させることを含むものである。
【００１７】
撮影モードとは、カメラの電源がＯＮになっていて直ぐに撮影が可能な状態を意味するものである。非撮影モードとはカメラの電源がＯＦＦになっていて撮影ができない状態を意味するものである。
【００１８】
前記記録媒体とは、レンズを通して結像した像を記録する媒体であればどのようなものであってもよく、この記録媒体としては感光フィルム以外にも、ＣＣＤ素子やＣＭＯＳ素子等を挙げることができる。
【００１９】
【発明の効果】
本発明のカメラによれば、記録媒体の感度を読み取る感度読取手段を備え、時間設定手段が、待機限界時間を、記録媒体の感度が低いほど長くするように設定したり、環境の明るさを検出する明るさ検出手段を備え、時間設定手段が、待機限界時間を、環境の明るさが小さいほど長くするように設定したり、記録媒体の感度を読み取る感度読取手段と、環境の明るさを検出する明るさ検出手段とを備え、時間設定手段が、待機限界時間を、記録媒体の感度と環境の明るさとの組合せに応じて設定するようにしたので、記録媒体の感度や環境の明るさに応じて、より長い待機限界時間を設定することができ、レンズ鏡胴をより長く繰出し位置に留めておくことができる。これにより、不要に早く鏡胴が沈胴されることがなく操作性の低下を抑制することができる。
【００２０】
また、鏡胴自動沈胴手段を、放置時間が待機限界時間に達したときに、レンズ鏡胴を収納位置ではなく繰出し位置から繰込位置に移動させるものとすれば、放置時間が待機限界時間に達してレンズ鏡胴が沈胴されても電源がＯＦＦにはならないので、撮影をより早く再開することができ、操作性の低下を抑制することができる。例えば、レンズを繰り出さないワイド側でならば、そのまま撮影することができる。
【００２１】
【発明の実施の形態】
以下、本発明の実施の形態について、図面を用いて説明する。図１は本発明の実施の形態によるカメラの概略構成を示すブロック図、図２は時間設定部が記憶している感度別の待機限界時間のテーブルを示す図、図３はフィルムの感度と待機限界時間との関係を示す図、図４は時間設定部が記憶している明るさ別の待機限界時間のテーブルを示す図、図５はカメラが置かれている環境の明るさと待機限界時間との関係を示す図、図６は時間設定部が記憶している感度値別に明るさ値と待機限界時間との関係を示す図、図７は待機限界時間を設定しレンズ鏡胴を沈胴させるフローチャート、
本発明の実施の形態によるカメラ１００は、沈胴可能なレンズ鏡胴１０、レンズ鏡胴１０が繰出し位置のまま放置されている放置時間を計測する計測手段であるタイマー１５、待機限界時間を設定する時間設定手段である時間設定部２０、放置時間が待機限界時間に達したときにレンズ鏡胴１０を沈胴させる鏡胴自動沈胴手段である鏡胴自動沈胴部２５、カメラ１００に装填されたパトローネ５０に収容されたフィルムの感度を読み取る感度読取手段である感度読取部３０、カメラが置かれている環境の明るさを検出する明るさ検出手段である光電変換素子３５、およびカメラ全体の動作および信号の入出力をコントロールするＣＰＵ４０を備えている。なお、タイマー１５、時間設定部２０、鏡胴自動沈胴部２５、および感度読取部３０はＣＰＵ４０に含まれており、このＣＰＵ４０の内部回路がタイマー１５、時間設定部２０、鏡胴自動沈胴部２５、および感度読取部３０を形成している。
【００２２】
ＣＰＵ４０中の感度読取部３０は、フィルムを収容するパトローネ５０のＤＸコード５１を読み取るＤＸ接点３１を介してフィルムの感度を読み取り、この感度を示す感度値を出力する。
【００２３】
光電変換素子３５で検出された環境の明るさを示す電流はＣＰＵ４０に入力され、ＣＰＵ４０の明るさ変換部４１がこの電流を明るさ値に変換して出力する。
【００２４】
また、感度値を感度読取部３０から入力し、明るさ値を明るさ変換部４１から入力した時間設定部２０は、待機限界時間を、上記感度値、または明るさ値、あるいは感度値と明るさ値との組合せに応じて設定する。
【００２５】
レンズ鏡胴１０は、撮影モードを維持したままでレンズ鏡胴１０を繰出した繰出し位置と、撮影モードを維持したままでレンズ鏡胴１０を繰込んだ繰込位置と、非撮影モードとしてカメラ本体にレンズ鏡胴を収納した収納位置の３つの位置を取り得るように構成されている。
【００２６】
鏡胴自動沈胴部２５は、時間設定部２０が設定した待機限界時間を入力し、この待機限界時間をタイマー１５から入力した放置時間と比較して放置時間が待機限界時間に達したときに信号を出力する。モータドライバ４が上記信号を入力すると、このモータドライバ４は割り込み処理を実施し鏡胴モータ５を駆動してレンズ鏡胴１０を繰出し位置から繰込位置に沈胴させる。
【００２７】
なお、レンズ鏡胴１０が繰出し位置にあるときにはこのレンズ鏡胴１０の鏡胴先端部１１は範囲Ｅで示される領域に位置し、レンズ鏡胴１０が繰込位置にあるときには鏡胴先端部１１が位置Ｐ１に位置し、レンズ鏡胴１０が収納位置にあるときには鏡胴先端部１１がカメラの筐体の表面と略同一な面を成す位置Ｐ２に位置する。
【００２８】
このカメラ１００は、その他に、不揮発性メモリーであるＥＥＰＲＯＭからなり各種の調整データが格納されて主ＣＰＵとの間でデータの読み出し、書き込みが可能であるＥＥＰＲＯＭ２、ドライバー４からの電流の供給によりフィルムを巻き上げるフィルム巻き上げモーター６、カメラのモ一ド設定やフィルム撮影枚数のカウント等を表示するＬＣＤ素子９、および電源３等を備えている。なお、モータドライバ４は、フィルム巻き上げモーター６とレンズ鏡胴１０を移動させる鏡胴モータ５とを駆動する。
【００２９】
次に上記実施の形態における作用について説明する。
【００３０】
カメラ１００の電源がＯＦＦになっている非撮影モードのときには、鏡胴先端部１１は位置Ｐ２で示される位置にあり、このレンズ鏡胴１０はカメラ本体に収納されている。
【００３１】
カメラ１００の電源をＯＮにすると、ＣＰＵ４０からドライバー４へ信号が出力され、ドライバー４が鏡胴モーター５を駆動し、レンズ鏡胴１０が収納位置から繰込位置まで移動され撮影モード、すなわち撮影可能な状態となる。この状態において鏡胴先端部１１は位置Ｐ１に位置する。
【００３２】
その後、撮影のためにカメラ１００のシャッターボタンやズームボタン（図示は省略）が操作され、鏡胴先端部１１は範囲Ｅで示される繰出し位置の領域内で移動されて撮影が行われる。
【００３３】
ここで、レンズ鏡胴１０が繰出し位置のままカメラ１００が放置されると、すなわち、レンズ鏡胴１０が繰り出されたままカメラ１００に対して操作が加えられないと、タイマー１５が放置時間の計測を開始する。その後、カメラ１００に対して操作が加えられるとタイマー１５による放置時間の計測はリセットされる。一方、カメラ１００に対して操作が加えられることなくタイマー１５による放置時間の計測が続けられると、鏡胴自動沈胴部２５は、タイマー１５から入力した放置時間が時間設定部２０が設定した待機限界時間に達したときに信号を出力する。この信号を入力したモータドライバ４は割り込み処理を実施し鏡胴モータ５を駆動してレンズ鏡胴１０を沈胴させ、このレンズ鏡胴１０を繰出し位置から繰込位置に移動させる。そして、鏡胴先端部１１の位置は位置Ｐ１となる。
【００３４】
次に、時間設定部２０による待機限界時間の設定について詳しく説明する。
【００３５】
始めに、時間設定部２０が、待機限界時間を感度値に応じて設定する場合について説明する。
【００３６】
感度読取部３０は、パトローネ５０のＤＸコード５１をＤＸ接点３１を介して読み取り、カメラ１００に装填されたフィルム５２の感度値を取得する。ＣＰＵ４０中の時間設定部２０は、この時間設定部２０が備えるＲＯＭに、図２に示すような感度別（ＩＳＯ１００、ＩＳＯ２００、ＩＳＯ４００、ＩＳＯ８００、ＩＳＯ１６００）の待機限界時間を示すテーブルを記憶している。待機限界時間Ｔは、Ｔ＝Ａ（係数）×ＳＶ（感度値）＋Ｂ（係数）の式で表され、より具体的にはＴ＝−２．５×ＳＶ＋２７．５で表される。なお、上記感度値には、いわゆるＳＶ値が使用される。
【００３７】
このように、時間設定部２０が待機限界時間を感度値に応じて設定する場合には、図３に示すように、フィルムの感度が低いほど待機限界時間、すなわち、カメラ１００が放置されてからレンズ鏡胴１０を沈胴させるまでの時間は長くなる。
【００３８】
次に、時間設定部２０が、待機限界時間を、カメラが置かれている環境の明るさに応じて設定する場合について説明する。
【００３９】
カメラの置かれている環境の明るさ値は光電変換素子３５で検出され明るさ変換部４１を介して取得される。時間設定部２０は、図４に示すように、明るさ別（ＬＶ１２、ＬＶ１３、ＬＶ１４、ＬＶ１５、ＬＶ１６）の待機限界時間を示すテーブルも記憶している。なお、上記明るさ値には、いわゆるＬＶ値が使用される。
【００４０】
待機限界時間Ｔは、Ｔ＝Ａ（係数）×ＬＶ（明るさ値）＋Ｂ（係数）で表され、Ｔ＝−２．５×ＬＶ＋４５で表される。なお、この式はＩＳＯ１６００の感度を持つフィルムがカメラに装填されていることを想定して作成されたものである。
【００４１】
このように、時間設定部２０が、待機限界時間を明るさに応じて設定する場合には、図５に示すように、カメラが置かれている環境の明るさが小さいほど待機限界時間、すなわち、カメラ１００が放置されてからレンズ鏡胴１０を沈胴させるまでの時間は長くなる。
【００４２】
つづいて、時間設定部２０が、待機限界時間を、感度値と明るさ値とに応じて設定する場合について説明する。
【００４３】
感度値および明るさ値の取得は上記と同様に行なわれる。時間設定部２０には、図６に示すように、感度値別（ＩＳＯ１００、ＩＳＯ２００、ＩＳＯ４００、ＩＳＯ８００、ＩＳＯ１６００）に、明るさ値と待機限界時間との関係が記憶されており、これらの関係に基づいて待機限界時間が設定される。上記関係は時間設定部２０中に式として記憶させてもよいし、あるいは数値データからなるテーブルとして記憶させるようにしてもよい。
【００４４】
ここで、図７に示すフローチャートを用いて、感度値と明るさ値とに応じて設定された待機限界時間に応じてレンズ鏡胴１０が沈胴される動作を説明する。
【００４５】
まず始めに、レンズ鏡胴１０が繰出し位置のまま放置されると、タイマー１５が放置時間の計測を開始する。その後、カメラ１００に対して操作が加えられることなくタイマー１５が放置時間の計測を続けている間に、感度読取部３０は、ＤＸ接点３１を介してパトローネ５０のＤＸコード５１を読み取り装填されたフィルム５２の感度値を取得する。変換部４１は、カメラの置かれている環境の明るさを示す明るさ値を光電変換素子３５を介して取得する。
【００４６】
時間設定部２０は上記取得された感度値と明るさ値とを入力し、感度値別に明るさ値と待機限界時間との関係が記憶された上記テーブルを選択し、このテーブルに基づいて待機限界時間Ｔを定める。
【００４７】
鏡胴自動沈胴部２５は、時間設定部２０から待機限界時間Ｔを入力するとともに、タイマー１５から放置時間Ｈを入力し、待機限界時間Ｔと放置時間Ｈとを比較する。
【００４８】
放置時間Ｈが待機限界時間Ｔに達していない場合には、再び鏡胴自動沈胴部２５がタイマー１５から放置時間Ｈを入力し、待機限界時間Ｔと放置時間Ｈとを比較する。
【００４９】
放置時間Ｈが待機限界時間Ｔに達すると鏡胴自動沈胴部２５がモータドライバ４に信号を出力する。
【００５０】
この信号を入力したモータドライバ４は鏡胴モータ５を駆動してレンズ鏡胴１０を繰出し位置から繰込位置に沈胴させる。
【００５１】
なお、上記実施の形態においては、放置時間が待機限界時間に達したときに、レンズ鏡胴を繰出し位置から繰込位置に移動させるようにしたが、放置時間が待機限界時間に達したときに、レンズ鏡胴を現状より遮光性の高い状態、すなわちテレ側からワイド側に少しレンズ鏡胴を引っ込めた位置となるように移動させるようにしてもよい。あるいは、レンズ鏡胴を完全に収納し、電源をＯＦＦにする収納位置まで移動させるようにしてもよい。さらに、一旦繰込み位置まで移動した後、さらに長時間（第２の待機限界時間）放置されたことを検知して収納位置まで移動するようにしてもよい。こうすることにより、本発明の光漏れ防止のための自動沈胴と従来の電源節約、カメラ破損防止のための自動沈胴の２つの機能をカメラに持たせることができる。
【図面の簡単な説明】
【図１】本発明の実施の形態によるカメラの概略構成を示すブロック図
【図２】時間設定部が記憶している感度別の待機限界時間のテーブルを示す図
【図３】フィルムの感度と待機限界時間との関係を示す図
【図４】時間設定部が記憶している明るさ別の待機限界時間のテーブルを示す図
【図５】カメラが置かれている環境の明るさと待機限界時間との関係を示す図
【図６】時間設定部が記憶している感度値別に明るさ値と待機限界時間との関係を示す図
【図７】待機限界時間を設定しレンズ鏡胴を沈胴させるフローチャート
【図８】レンズ鏡胴が繰出された状態のコンパクトカメラの断面を示す図
【図９】レンズ鏡胴が沈胴された状態のコンパクトカメラの断面を示す図
【符号の説明】
１０　　レンズ鏡胴
１５　　タイマー
２０　　時間設定部
２５　　鏡胴自動沈胴部
３０　　感度読取部
３５　　光電変換素子
４０　　ＣＰＵ
１００　　カメラ
【図１】
2004077903.tif 000003
【図２】
2004077903.tif 000004
【図３】
2004077903.tif 000005
【図４】
2004077903.tif 000006
【図５】
2004077903.tif 000007
【図６】
2004077903.tif 000008
【図７】
2004077903.tif 000009
【図８】
2004077903.tif 000010
【図９】
2004077903.tif 000011